(57)【要約】【課題】周波数利用効率の低下、および、他のシステムに対して干渉を抑えることを目的とする。【解決手段】機能の書き換えは受信側のみ、あるいは、送信機能の無線部は脱着式とすることで、送信信号の周波数スペクトルを検査確認が終了した送信部とすることで、規格外のスペクトルを示さないため、周波数利用効率の低下、および、他のシステムに対して干渉を与えることを抑えることができる。【選択図】  図１
2004253993.tif 000002
【特許請求の範囲】
【請求項１】
機能の書き換えが可能な無線通信装置において、受信機能書き換えに関する情報のみで構成されている無線通信方法情報を受信し、前記無線通信方法情報により受信機能の書き換えが可能な受信手段を有する無線通信装置。
【請求項２】
機能の書き換えが可能な無線通信装置において、無線機構成に関する情報を受信し、前記無線機構成に関する情報により無線機の構成が変更可能な受信手段を有する無線通信装置。
【請求項３】
外部から情報を入力して前記無線通信方法情報を無線通信装置に送信するソフトウェア提供装置。
【請求項４】
外部から情報を入力して前記無線機構成に関する情報を無線通信装置に送信するソフトウェア提供装置。
【請求項５】
前記無線通信装置の送信機能を有し、前記無線通信装置に接続する送信モジュール。
【請求項６】
機能の書き換えが可能な無線通信装置において、あらかじめ無線通信機能が書き込まれていることを特徴とする無線通信装置。
【発明の詳細な説明】
【０００１】
【発明の属する技術分野】
本発明は、ソフトウェア無線の機能を有する無線通信装置、ソフトウェア提供装置および送信モジュールに関する。
【０００２】
【従来の技術】
従来のソフトウェア無線機については、例えば非特許文献１に記載されている。そのソフトウェア無線機の構成を図６に示す。図６において、ディジタル信号処理部０３は、送信ディジタル信号０１を入力とし、変調し、送信直交ベースバンド信号０４を出力する。また、受信直交ベースバンド信号０９を入力とし、復調し、受信ディジタル信号１０を出力する。そして、無線機構成に関する情報０２を入力とし、ＰＨＳまたは、無線ＬＡＮに対応したディジタル信号処理部へと変更が可能である。
【０００３】
マルチ無線部０５は、送信直交ベースバンド信号０４を入力とし、送信信号０６を出力する。また、受信信号０８を入力とし、受信直交ベースバンド信号０９を出力する。そして、無線機構成に関する情報０２を入力とし、ＰＨＳまたは、無線ＬＡＮに対応した無線部へと変更が可能である。
【０００４】
アンテナ部０７は送信信号０６を入力とし、電波として出力する。また、アンテナ部０７で、受信した受信信号０８を出力する。そして、無線機構成に関する情報０２を入力とし、ＰＨＳまたは、無線ＬＡＮに対応したアンテナへと変更が可能である。
【０００５】
このとき、無線機構成変更に関する情報０２は、ＰＨＳモード、または、無線ＬＡＮモードを指定でき、これにより、ディジタル信号処理部０３、マルチ無線部０５、アンテナ部０７の構成は切り替わる。このように、無線機構成に関する情報０２により、無線機の構成の変更が可能である。
【０００６】
【非特許文献１】
文献（ＰＨＳ（ＰＨＳ：Ｐｅｒｓｏｎａｌ  Ｈａｎｄｙ  ｐｈｏｎｅ  Ｓｙｓｔｅｍ）方式と無線ＬＡＮ（ＬＡＮ：Ｌｏｃａｌ  Ａｒｅａ  Ｎｅｔｗｏｒｋ）に対応したソフトウェア無線機の試作（Ｉ）−システム設計と無線ダウンロード−）電子情報通信学会、信学技法ＳＲ−１２、ｐｐ．３３―３８、２００１年１０月。
【０００７】
【発明が解決しようとする課題】
このとき、従来の無線通信装置では、送信装置もソフトウェアにより機能変更を施している。しかし、送信機能を書き換えた結果、送信信号の周波数スペクトルが、規格外のスペクトルを示してしまうことが考えられる。これにより、周波数利用効率の低下、および、他のシステムに対して干渉を与えることになる。
【０００８】
【課題を解決するための手段】
本発明では、機能の書き換えは受信側のみ、あるいは、送信機能の無線部は脱着式とすることで、送信信号の周波数スペクトルを検査確認が終了した送信部とすることで、規格外のスペクトルを示さないため、周波数利用効率の低下、および、他のシステムに対して干渉を与えることを抑えることができる。
【０００９】
【発明の実施の形態】
本発明は、機能の書き換えが可能な無線通信装置において、受信機能書き換えに関する情報のみで構成されている無線通信方法情報を受信し、前記無線通信方法情報により受信機能の書き換えが可能な受信手段を有する無線通信装置であり、また、無線機構成に関する情報を受信し、前記無線機構成に関する情報により無線機の構成が変更可能な受信手段を有する無線通信装置である。
【００１０】
また、外部から情報を入力して前記無線通信方法情報または前記無線機構成に関する情報を無線通信装置に送信するソフトウェア提供装置である。
【００１１】
また、前記無線通信装置の送信機能を有し、前記無線通信装置に接続する送信モジュールである。
【００１２】
また、機能の書き換えが可能な無線通信装置において、あらかじめ無線通信機能が書き込まれていることを特徴とする無線通信装置である。
【００１３】
これにより、送信信号の周波数スペクトルを検査確認が終了した送信部とすることで、規格外のスペクトルを示さないため、周波数利用効率の低下、および、他のシステムに対して干渉を与えることを抑えることができる。
【００１４】
以下、本発明の実施の形態について図面を用いて説明する。
【００１５】
（実施の形態１）
図１は、本実施の形態における無線通信システムの構成の一例を示している。無線通信システムは、無線通信装置１０１とソフトウェア提供装置１２２からなる。無線通信装置１０１における符号化部１０３は、送信ディジタル信号１０２を入力とし、符号化し、送信データ１０４を出力する。変調部１０５は、送信データ１０４を入力とし、変調し、送信直交ベースバンド信号１０６を出力する。無線部１０７は、送信直交ベースバンド信号１０６を入力とし、送信信号１０８を出力し、アンテナ１０９から電波として出力される。アンテナ部１１０、無線部１１２、復調部１１４、符号化部１１６は、無線機構成に関する情報１２１を入力とし、無線機構成に関する情報１２１に対応する無線機の構成に対応するアンテナ部１１０、無線部１１２、復調部１１４、符号化部１１６へと変更される。無線部１１２は、アンテナ部１１０で受信された受信信号１１１を入力とし、受信直交ベースバンド信号１１３を出力する。復調部１１４は、受信直交ベースバンド信号１１３を入力とし、復調し、受信データ１１５を出力する。符号化部１１６は、受信データ１１５を入力し、デコードし、受信ディジタル信号１１７を出力する。通信方式要求部１１９は、通信方式要求入力情報１１８をユーザが入力し、通信方式要求情報１２０を出力する。
【００１６】
ソフトウェア提供装置１２２におけるソフトウェア提供部１２５は、通信方式要求情報１２０を入力とし、ネットワークに対し、ネットワークに要求する通信方式情報１２３を出力する。そして、ネットワークから、無線機構成に関する情報１２４が得られ、無線通信装置に対して、無線機構成に関する情報１２１を出力する。
【００１７】
図２は、本実施の形態における無線機構成に関する情報１２１の構成の一例を示しており、２０１は受信符号化部書き換え情報、２０２は受信復調部書き換え情報、２０３は受信無線部書き換え情報、２０４は受信アンテナ書き換え情報である。
【００１８】
図３は、横軸周波数、縦軸送信パワーとしたとき送信信号の周波数スペクトルの一例を示しており、図３（ａ）は規格として要求される周波数特性、図３（ｂ）は規格外の周波数特性を示している。
【００１９】
以上、図１、図２、図３を用いて本実施の形態における無線通信装置の構成について説明する。
【００２０】
図３は、周波数軸におけるスペクトルの一例を示している。このとき、規格としては、図３（ａ）のスペクトルの変調信号を送信部は出力しなければならないとする。このとき、図１の無線通信装置の送信部がソフトウェアにより機能の書き換えが可能であった場合、例えば、図３（ｂ）のように規格にあわない変調信号を出力する可能性がある。すると、他のシステムに干渉を与えることになり、その結果、周波数の利用効率を低下させることになる。
【００２１】
これを解決するために、図１の機能の書き換えが可能な無線通信装置１０１では、上述で説明したように、送信装置の機能を書き換えることができないように構成されている。これにより、機能の書き換えが可能な無線通信装置１０１の送信機能の検査を一度行うことで、規格外の、例えば、図３（ｂ）の変調信号のスペクトルを送信することがなくなる。
【００２２】
また、図１の機能の書き換えが可能な無線通信装置１０１では、上述で説明したように、受信機能の書き換えを可能とすることで、ユーザが希望する伝送速度、伝送品質、の通信方法に書き換えることができるため、情報の伝送品質および伝送速度の両立をはかることができる。
【００２３】
図２は、図１の無線機構成に関する情報１２１の構成の一例を示しており、図２に示すように、受信機能の各部の書き換えのための情報のみで構成されていることが特徴となる。
【００２４】
以上において、図１の機能の書き換えが可能な無線通信装置１０１の通信方式要求は、無線通信装置により構成されていて、無線をとおして行われてもよい。同様に、ソフトウェア提供装置１２２は、無線通信装置により構成されていて、無線機構成に関する情報１２１を無線をとおして、機能の書き換えが可能な無線通信装置１０１に提供してもよい。
【００２５】
以上により、受信方法のみ外部情報から機能の書き換えが可能な無線通信装置において、無線通信方法情報を入力とし、受信機能が書き換わる受信部を具備する無線通信装置とすることで、送信機能を書き換えないため規格外の変調信号の送信を防ぐことができるため、他のシステムに干渉を与えないため周波数利用効率の低下を防ぐことができ、また、受信機能は書き換えができるため、ユーザの希望した、伝送品質、伝送速度を選択できるため、情報の伝送品質および伝送速度の両立をはかることができる。
【００２６】
（実施の形態２）
図２は、本実施の形態における無線機構成に関する情報の構成の一例を示している。
【００２７】
図３は、横軸周波数、縦軸送信パワーとしたとき送信信号の周波数スペクトルの一例を示している。
【００２８】
図４は、本実施の形態における無線通信システムの構成の一例を示しており、図１と同様に動作するものについては同一符号を付した。
【００２９】
無線通信システムは、無線通信装置１０１、ソフトウェア提供装置１２２および送信モジュール４０１から構成される。
【００３０】
無線通信装置１０１における符号化部１０３、変調部１０５、接続部４０７は、無線機構成に関する情報１２１を入力とし、機能変更を行う。
【００３１】
送信直交ベースバンド信号１０６は、接続部４０７をとおして、送信直交ベースバンド信号４０８となる。送信直交ベースバンド信号４０８は、送信モジュール４０１における接続部４０２をとおして、送信直交ベースバンド信号４０３となる。無線部４０４は、送信直交ベースバンド信号４０３を入力とし、変調信号４０５を出力し、アンテナ４０６から電波として出力される。
【００３２】
図５は、本実施の形態における無線通信システムの構成の一例を示しており、図１と同様に動作する部分については同一符号を付した。
【００３３】
無線通信システムは、無線通信装置１０１、ソフトウェア提供装置１２２および送信モジュール５０１から構成される。
【００３４】
無線通信装置１０１の接続部５１１は、無線機構成に関する情報１２１により接続部の構成が変更される。
【００３５】
送信ディジタル信号１０２は、接続部５１１をとおして、送信ディジタル信号５１２となる。送信ディジタル信号５１２は、接続部５０２をとおして、送信ディジタル信号５０３となる。符号化部５０４は、送信ディジタル信号５０３を入力とし、送信データ５０５を出力する。変調部５０６は、送信データ５０５を入力とし、変調し、送信直交ベースバンド信号５０７を出力する。無線部５０８は、送信直交ベースバンド信号５０７を入力とし、変調信号５０９を出力し、電波としてアンテナ５１０から出力される。
【００３６】
ソフトウェア提供部１２５は、ネットワークから得られた無線機に関する情報１２４を入力とし、送信データ５１４として出力する。また、受信データを入力とし、ネットワークに要求する通信方式情報１２３を出力する。
【００３７】
変復調部５１５は、送信データ５１４を入力とし、送信直交ベースバンド信号５１６を出力する。また、受信直交ベースバンド信号５１９を入力とし、受信データ５２０を出力する。
【００３８】
無線部５１７は、送信直交ベースバンド信号５１６を入力とし、変調信号を生成し、アンテナ５１８から電波として出力する。また、アンテナ５１８で受信した受信信号を入力とし受信直交ベースバンド信号５１９を出力する。
【００３９】
以上、図２、図３、図４、図５を用いて本実施の形態における無線通信装置の構成について説明する。
【００４０】
図３は、周波数軸におけるスペクトルの一例を示している。このとき、規格としては、図３（ａ）のスペクトルの変調信号を送信部は出力しなければならないとする。このとき、機能の書き換えが可能な無線通信装置の送信部がソフトウェアにより機能の書き換えが可能であった場合、例えば、図３（ｂ）のように規格にあわない変調信号を出力する可能性がある。すると、他のシステムに干渉を与えることになり、その結果、周波数の利用効率を低下させることになる。
【００４１】
これを解決するために、図４、図５の機能の書き換えが可能な無線通信装置１０１では、送信部を送信モジュールとして、外部から接続できるように構成されている。そして、図４、図５の送信モジュール４０１、５０１の検査を一度行うことで、規格外の、例えば、図３（ｂ）の変調信号のスペクトルを送信することがなくなる。
【００４２】
また、図４、図５の機能の書き換えが可能な無線通信装置１０１では、上述で説明したように、受信機能の書き換えを可能とすることで、ユーザが希望する伝送速度、伝送品質、の通信方法に書き換えることができるため、情報の伝送品質および伝送速度の両立をはかることができる。
【００４３】
図２は、図４、図５の無線機構成に関する情報１２１の構成の一例を示しており、図２に示すように、受信機能の各部の書き換えのための情報のみで構成されていることが特徴となる。
【００４４】
図４の特徴について説明する。
【００４５】
図４では、送信モジュール４０１と機能の書き換えが可能な無線通信装置１０１が接続される。
【００４６】
そして、送信系における、例えば、ディジタル信号処理可能な、符号化部１０３、変調部１０５は、無線機構成に関する情報１２１により、構成を変更することができる。また、接続部４０７は、接続する送信モジュール４０１の接続部４０２と接続できるように、信号の配置を無線機構成に関する情報１２１により変更することができるように構成されている。
【００４７】
図５の特徴について説明する。
【００４８】
図５では、送信モジュール５０１と機能の書き換えが可能な無線通信装置１０１が接続される。そして、無線機構成に関する情報１２１は、無線により伝送される。よって、あらかじめ、ある通信方式の通信ができるように、あらかじめ無線通信機能が書き込まれている無線通信装置１０１である必要がある。これにより、無線により、以降の無線機構成を変更することができる。
【００４９】
通信方式要求部１１９は、通信方式要求入力情報１１８を入力とし、通信方式要求情報１２０を出力する。
【００５０】
接続部５１１は、通信方式要求情報１２０を入力とし、送信ディジタル信号５１２として出力する。
【００５１】
送信ディジタル信号５１２は、接続部５０２をとおして、送信ディジタル信号５０３となる。そして、符号化され、変調し、無線処理が施され、アンテナ５１０から電波として出力される。
【００５２】
ソフトウェア提供装置１２２は、アンテナ５１８でこの信号を受信し、無線処理、復調され、ネットワークに対し通信方式情報１２３出力する。そして、ネットワークから無線機に関する情報１２４を入力とし、変調、無線処理を施しアンテナ５１８から電波として出力される。
【００５３】
無線通信装置１０１は、この信号をアンテナ１１０で受信し、無線処理、復調、デコードし、受信ディジタル信号１１７を生成し、情報分離部５１３で、無線機構成に関する情報１２１を抽出する。
【００５４】
符号化部１１６、復調部１１４、無線部１１２、アンテナ部１１０、接続部５１１は、無線機構成に関する情報１２１を入力とし、無線機の構成が切り替わる。
【００５５】
よって、図５の機能の書き換えが可能な無線通信装置１０１の通信方式要求は、および、無線機構成の変更は無線により行うことが可能となる。ただし、図５の無線による構成の変更の実施は、図１、図４でも同様に実施することが可能である。
【００５６】
また、送信モジュールの構成は、図４、図５の構成に限ったものではなく、送信部すべてが送信モジュールに内蔵されていてもよい。
【００５７】
以上により、外部から送信モジュールを接続する接続部を具備する機能の書き換えが可能な無線通信装置、および、書き換えが可能な無線通信装置に接続できる送信モジュールとすることで、送信機能を書き換えないため規格外の変調信号の送信を防ぐことができるため、他のシステムに干渉を与えないため周波数利用効率の低下を防ぐことができ、また、受信機能は書き換えができるため、ユーザの希望した、伝送品質、伝送速度を選択できるため、情報の伝送品質および伝送速度の両立をはかることができる。
【００５８】
【発明の効果】
以上のように本発明によれば、機能の書き換えは受信側のみ、あるいは、送信機能の無線部は脱着式とし、また、送信信号の周波数スペクトルを検査確認が終了した送信部とすることにより、規格外のスペクトルを示さないため、周波数利用効率の低下、および、他のシステムに対して干渉を与えることを抑えることができるという効果を有する。
【図面の簡単な説明】
【図１】本発明第１の実施の形態における無線通信システムの構成を示す図
【図２】同第１の実施の形態における無線機構成に関する情報の構成を示す図
【図３】同第１の実施の形態における送信信号のスペクトルを示す図
【図４】同第２の実施の形態における無線通信システムの構成を示す図
【図５】同第２の実施の形態における無線通信システムの構成を示す図
【図６】従来の無線通信装置の構成の一例を示す図
【符号の説明】
１０１  機能の書き換えが可能な無線通信装置
１０２  送信ディジタル信号
１０３  符号化部
１０４  送信データ
１０５  変調部
１０６  送信直交ベースバンド信号
１０７  無線部
１０８  変調信号
１０９  アンテナ
１１０  アンテナ部
１１１  受信信号
１１２  無線部
１１３  受信直交ベースバンド信号
１１４  復調部
１１５  受信データ
１１６  符号化部
１１７  受信ディジタル信号
１１８  通信方式要求入力情報
１１９  通信方式要求部
１２０  通信方式要求情報
１２１  無線機構成に関する情報
１２２  ソフトウェア提供装置
１２３  ネットワークに要求する通信方式情報
１２４  ネットワークから得られた無線機に関する情報
１２５  ソフトウェア提供部
２０１  受信符号化部書き換え情報
２０２  受信復調部書き換え情報
２０３  受信無線部書き換え情報
２０４  受信アンテナ部書き換え情報
４０１、５０１  送信モジュール
４０２、４０７、５０２、５１１  接続部
【図１】
2004253993.tif 000003
【図２】
2004253993.tif 000004
【図３】
2004253993.tif 000005
【図４】
2004253993.tif 000006
【図５】
2004253993.tif 000007
【図６】
2004253993.tif 000008